(57)【特許請求の範囲】
【請求項１】
無線ネットワークにおいてユーザ機器と基地局との間でデータを送信するための方法であって、前記ユーザ機器（１５）は、前記ユーザ機器（１５）と前記基地局（１１）との間で無線周波数信号を送信するための第１のアンテナ（１６）と第２のアンテナ（１７）とを少なくとも備え、前記基地局（１１）は、前記基地局（１１）と前記ユーザ機器（１５）との間で無線周波数信号を送信するための複数のアンテナ（１２）を備え、前記方法は、
前記第１のアンテナ（１６）を介して前記ユーザ機器（１５）から前記基地局（１１）に第１のトレーニング信号を第１の期間に送信することと、
前記基地局（１１）の前記複数のアンテナ（１２）のサブセットの各アンテナ（１２）に対して、対応するアンテナ（１２）で受信された前記第１のトレーニング信号に基づいて、対応する第１の構成パラメータを決定することと、
前記第２のアンテナ（１７）を介して前記ユーザ機器（１５）から前記基地局（１１）に第２のトレーニング信号を前記第１の期間とは異なる第２の期間に送信することと、
前記基地局（１１）の前記複数のアンテナ（１２）の前記サブセットの各アンテナ（１２）に対して、対応するアンテナ（１２）で受信された前記第２のトレーニング信号に基づいて、対応する第２の構成パラメータを決定することと、
前記基地局（１１）の前記アンテナ（１２）に対して決定された前記第１の構成パラメータを用いて、第１のダウンリンクデータ（ＤＬ１）を前記基地局（１１）から前記ユーザ機器（１５）に送信することと、同時に、前記基地局（１１）の前記アンテナ（１２）に対して決定された前記第２の構成パラメータを用いて、第２のダウンリンクデータ（ＤＬ２）を前記基地局（１１）から前記ユーザ機器（１５）に送信することと、
前記ユーザ機器（１５）で受信された前記第１のダウンリンクデータ（ＤＬ１）の第１の信号品質パラメータを決定することと、
前記ユーザ機器（１５）で受信された前記第２のダウンリンクデータ（ＤＬ２）の第２の信号品質パラメータを決定することと、
前記決定された第１および第２の信号品質パラメータに基づいて、前記ユーザ機器（１５）から前記基地局（１１）へのアップリンクデータ（ＵＬ１、ＵＬ２）の送信のために、前記ユーザ機器（１５）の前記第１および第２のアンテナ（１６、１７）のうちからアンテナを選択することと、を含む方法。
【請求項２】
前記ユーザ機器（１５）のアンテナを選択するステップは、前記ユーザ機器（１５）によって行われる、請求項１に記載の方法。
【請求項３】
さらに、前記ユーザ機器（１５）の前記選択されたアンテナを前記ユーザ機器（１５）から前記基地局（１１）に通知することを含む、請求項２に記載の方法。
【請求項４】
前記ユーザ機器（１５）のアンテナを選択するステップは、
前記決定された第１および第２の信号品質パラメータに基づいて、前記ユーザ機器（１５）から前記基地局（１１）へのアップリンクデータ（ＵＬ１、ＵＬ２）の送信のために、前記ユーザ機器（１５）の前記第１および第２のアンテナ（１６、１７）のうちから好適なアンテナを前記ユーザ機器（１５）によって選択することと、
前記ユーザ機器（１５）の前記好適なアンテナを前記ユーザ機器（１５）から前記基地局（１１）に通知することと、
前記基地局（１１）が、前記ユーザ機器（１５）から前記基地局（１１）への前記アップリンクデータ（ＵＬ１、ＵＬ２）の送信のために前記好適なアンテナを用いるために、前記ユーザ機器（１５）の前記好適なアンテナを受け入れたことを前記基地局（１１）から前記ユーザ機器（１５）に応答することと、を含む、請求項１に記載の方法。
【請求項５】
さらに前記ユーザ機器（１５）から前記基地局（１１）に前記第１および第２の信号品質パラメータを送信することと、を含み、前記ユーザ機器（１５）のアンテナを選択するステップは前記基地局（１１）によって行われ、
前記ユーザ機器（１５）の前記選択されたアンテナを前記基地局（１１）から前記ユーザ機器（１５）に通知することと、を含む、請求項１に記載の方法。
【請求項６】
前記第１のダウンリンクデータ（ＤＬ１）は前記第２のダウンリンクデータ（ＤＬ２）と同じである、請求項１から請求項５のいずれか１項に記載の方法。
【請求項７】
前記第１のダウンリンクデータ（ＤＬ１）は前記第２のダウンリンクデータ（ＤＬ２）と異なる、請求項１から請求項５のいずれか１項に記載の方法。
【請求項８】
前記ユーザ機器（１５）は、送信ユニット（２１）と、前記第１のアンテナ（１６）または前記第２のアンテナ（１７）のいずれかを選択的に送信ユニット（２１）に接続するように構成されるスイッチ（１８）と、を含み、
前記第１のトレーニング信号を送信するステップは、
前記スイッチ（１８）を介して前記送信ユニット（２１）を前記第１のアンテナ（１６）に接続すること、を含み、前記第２のトレーニング信号を送信するステップは、
前記スイッチ（１８）を介して前記送信ユニット（２１）を前記第２のアンテナ（１７）に接続すること、を含む、請求項１から請求項７のいずれか１項に記載の方法。
【請求項９】
前記第１の信号品質パラメータを決定することは、
前記第１のダウンリンクデータ（ＤＬ１）のビット誤り率を決定すること、
前記第１のダウンリンクデータ（ＤＬ１）の受信信号強度指示を決定すること、
前記第１のダウンリンクデータ（ＤＬ１）の信号対雑音比を決定すること、
のグループうちの少なくとも１つを含み、
前記第２の信号品質パラメータを決定することは、
前記第２のダウンリンクデータ（ＤＬ２）のビット誤り率を決定すること、
前記第２のダウンリンクデータ（ＤＬ２）の受信信号強度指示を決定すること、
前記第２のダウンリンクデータ（ＤＬ２）の信号対雑音比を決定すること、
のグループうちの少なくとも１つを含む、請求項１から請求項８のいずれか１項に記載の方法。
【請求項１０】
前記第１および／または前記第２の構成パラメータは、
振幅情報、
位相情報、
振幅情報と、関連付けられた位相情報とを含むパラメータのペア、
複数の前記パラメータのペア、
を含むグループのうちの少なくとも１つを含む、請求項１から請求項９のいずれか１項に記載の方法。
【請求項１１】
無線ネットワークの基地局であって、
前記基地局（１１）とユーザ機器（１５）との間で無線周波数信号を送信するための複数のアンテナ（１２）を備え、前記ユーザ機器（１５）は、前記ユーザ機器（１５）と前記基地局（１１）との間で無線周波数信号を送信するための第１のアンテナ（１６）と第２のアンテナ（１７）とを少なくとも備え、
さらに前記基地局は、
前記第１のアンテナ（１６）を介して前記ユーザ機器（１５）から前記基地局（１１）に送信された第１のトレーニング信号を第１の期間に受信し、
前記基地局（１１）の前記複数のアンテナ（１２）のサブセットの各アンテナ（１２）に対して、対応するアンテナ（１２）で受信された前記第１のトレーニング信号に基づいて、対応する第１の構成パラメータを決定し、
前記第２のアンテナ（１７）を介して前記ユーザ機器（１５）から前記基地局（１１）に送信された第２のトレーニング信号を前記第１の期間とは異なる第２の期間に受信し、
前記基地局（１１）の前記複数のアンテナ（１２）の前記サブセットの各アンテナ（１２）に対して、対応するアンテナ（１２）で受信された前記第２のトレーニング信号に基づいて、対応する第２の構成パラメータを決定し、
前記基地局（１１）の前記アンテナ（１２）に対して決定された前記第１の構成パラメータを用いて、第１のダウンリンクデータ（ＤＬ１）を前記基地局（１１）から前記ユーザ機器（１５）に送信し、同時に、前記基地局（１１）の前記アンテナ（１２）に対して決定された前記第２の構成パラメータを用いて、第２のダウンリンクデータ（ＤＬ２）を前記基地局（１１）から前記ユーザ機器（１５）に送信し、
前記ユーザ機器（１５）から前記第１の構成パラメータを用いて前記第１のアンテナ（１６）を介して送信されたアップリンクデータ（ＵＬ１）を受信するか、または前記ユーザ機器（１５）から前記第２の構成パラメータを用いて前記第２のアンテナ（１７）を介して送信されたアップリンクデータ（ＵＬ２）を受信する、ように構成された処理装置（１４）を備える、基地局。
【請求項１２】
請求項１から１０のいずれか１項に記載の方法を実行するように構成された、請求項１１に記載の基地局。
【請求項１３】
無線ネットワークのためのユーザ機器であって、
前記ユーザ機器（１５）と基地局（１１）との間で無線周波数信号を送信するための第１のアンテナ（１６）と第２のアンテナ（１７）とを少なくとも備え、前記基地局（１１）は、前記基地局（１１）と前記ユーザ機器（１５）との間で無線周波数信号を送信するための複数のアンテナ（１２）を備え、
前記第１のアンテナ（１６）を介して前記基地局（１１）に第１のトレーニング信号を第１の期間に送信し、
前記第２のアンテナ（１７）を介して前記基地局（１１）に第２のトレーニング信号を前記第１の期間とは異なる第２の期間に送信し、
前記第１のアンテナ（１６）を介して第１のダウンリンクデータ（ＤＬ１）を前記基地局（１１）から受信し、同時に、前記第２のアンテナ（１７）を介して第２のダウンリンクデータ（ＤＬ２）を前記基地局（１１）から受信し、
受信された前記第１のダウンリンクデータ（ＤＬ１）の第１の信号品質パラメータを決定し、
受信された前記第２のダウンリンクデータ（ＤＬ２）の第２の信号品質パラメータを決定し、前記決定された第１および第２の信号品質パラメータに基づいて、前記第１のアンテナ（１６）または前記第２のアンテナ（１７）のいずれか一方を介してアップリンクデータ（ＵＬ１、ＵＬ２）を前記基地局（１１）に送信する、ように構成された処理装置（２３）を備える、ユーザ機器。
【請求項１４】
請求項１から１０のいずれか１項に記載の方法を実行するように構成された、請求項１３に記載のユーザ機器。
【請求項１５】
携帯電話、モバイルコンピュータ、パーソナルデジタルアシスタント、タブレットコンピュータを含むグループのうちの少なくとも１つから成る、請求項１３または請求項１４に記載のユーザ機器。
【発明の詳細な説明】
【技術分野】
【０００１】
本発明は、無線ネットワークにおけるユーザ機器と基地局との間でデータを送信する方法に関する。特に、本発明は、いわゆるマルチインプットマルチアウトプット（ＭＩＭＯ）技術、またはいわゆるダイバーシティモードに従って無線周波数信号を送信するために複数のアンテナを備える基地局とユーザ機器との間でデータを送信するための方法に関する。本発明はさらに、方法を実行する基地局およびユーザ機器に関する。
【背景技術】
【０００２】
データ送信の性能と信頼性を高めるため、いわゆるマルチインプットマルチアウトプット（ＭＩＭＯ）技術が、無線周波数通信において基地局とユーザ機器との間で情報を送信するために使用されてもよい。ＭＩＭＯ技術は、基地局および／またはユーザ機器における、無線通信のための複数の送受信アンテナの使用に関する。ＭＩＭＯ技術は、情報を送信するために空間次元と同様に時間次元を使用する符号化方法の基礎を形成し、したがって空間および時間の符号化を可能にする。したがって、無線通信の品質およびデータレートを増加させる可能性がある。
【０００３】
いわゆるマッシブＭＩＭＯシステムにおいて、複数のユーザ機器は、複数のアンテナを有する基地局によってサービスされるセル内に配置されてもよい。マッシブＭＩＭＯシステムにおいて、基地局の各アンテナトランシーバの構成は、ユーザ機器のそれぞれの位置および基地局およびユーザ機器の環境における送信状況に応じて変わってもよい。
【０００４】
マッシブＭＩＭＯシステムは、基地局とユーザ機器との間の情報ストリームの送信がタイムスロットに分割される時分割複信（ＴＤＤ）システムに関連して使用されてもよい。アップリンク（ＵＬ）データ通信のための、およびダウンリンク（ＤＬ）データ通信のための異なるタイムスロットが、ユーザ機器から基地局に情報を送信するために、および基地局からユーザ機器に情報を送信するために提供されてもよい。マッシブＭＩＭＯシステムにおいて、トレーニング信号またはトレーニングシーケンスをユーザ機器から基地局に送信するための「ヘッダ」と呼ばれてもよい追加のタイムスロットが必要である。受信されたトレーニング信号に基づいて、基地局は基地局のアンテナアレイのトランシーバを構成してもよい。従って後続のタイムスロットで送信されるペイロードに対する高いアンテナ利得が達成される。ペイロードは、いくつかのアップリンクとダウンリンクのタイムスロットで送信されてもよい。しかしながらユーザ機器が移動しているとき、チャネル品質は、基地局および／またはユーザ機器の空間的配置の変化に起因して劣化する可能性がある。したがって、さらにトレーニング信号が送信されてもよく、トランシーバの構成は更新されてもよい。
【０００５】
一般的に、マッシブＭＩＭＯシステムは、オフィス、ショッピングモールなどのような建物内が想定されている。この環境では、多くのユーザ機器が存在する可能性が想定される。しかしながら、各ユーザ機器に対するアンテナパラメータの個々の構成による空間符号化によって、このような環境で高いデータスループットと高いデータ信頼性がＭＩＭＯ技術を用いて達成される。さらなる向上のために、それぞれに複数のアンテナを有する複数の基地局が、送信される情報のより一層強化された空間符号化を可能にするために協働する、いわゆる３Ｄ−ＭＩＭＯシステムが用いられる。
【０００６】
例えば携帯電話のようなハンドセットのような多くのユーザ機器は、セルラー通信のための２つまたはそれ以上のアンテナを提供する。ユーザ機器のアンテナは一般的に、例えばユーザ機器の上部にある１つのアンテナとユーザ機器の下部にある１つのアンテナのように、ユーザ機器のハウジングで、またはハウジング内において互いに離間して配置される。２つのアンテナは、例えばダイバーシティモードまたはＭＩＭＯモードのいずれかのようなダウンリンク（ＤＬ）通信のための２つの異なるモードで使用されてもよい。ダイバーシティモードにおいて、基地局は単一の無線周波数信号を送信し、両方のアンテナはそれを受信するようになっている。複数のアンテナの１つがフェージングディップにある状況が起こっている場合、またはユーザが１つのアンテナを覆っている場合、他のアンテナはまだ基地局との接続を有し、受信が継続されてもよい。ダイバーシティモードはランク１モードとも呼ばれる。ダイバーシティモードでは第２のアンテナは、バックアップアンテナとして見なされてもよい。ランク２モードとも呼ばれるＭＩＭＯモードでは、基地局は、全く同じ周波数チャネル上で２つの異なる空間符号化信号を送信する。したがって、データレートは２倍に向上する可能性がある。２つの異なる無線周波数信号は、ユーザ機器の空間的に分離された２つのアンテナで受信されてもよい。ビームフォーミングまたは無線周波数信号の集束は、このような２つの異なる信号の１つがユーザ機器の２つのアンテナの第１のアンテナによって受信されてもよく、２つの異なる信号の他方はユーザ機器の２つのアンテナの他方によって同時に受信されてもよいように、基地局の複数のアンテナによって、または、基地局が上述したマッシブＭＩＭＯまたは３Ｄ−ＭＩＭＯ技術に従って動作することによって達成されてもよい。上述したように、散り散りになった状況または多くのユーザ機器があるシナリオでは、必要な無線周波数エネルギーの集束を提供するために、どのように基地局のすべてのアンテナに供給するかを予測することはできない。したがって各ユーザ機器は、トレーニングシーケンスを送信する必要があり、そして例えば、基地局のアンテナのそれぞれに対する振幅および位相が、無線周波数信号がトレーニングシーケンスが送信されるユーザ機器のアンテナに集束されて送信されるように決定されてもよい。
【０００７】
ダウンリンク通信のための構成パラメータは、チャネルの相互関係に基づいてアップリンクで受信されたトレーニングシーケンスに基づいて得られてもよい。送信周波数の増大があり、例えば屋内のオフィスのような、多くの反射があり、見通し線（ＬＯＳ）が全くない状況のシナリオで、集束は非常に狭くなり、実際にユーザ機器のアンテナの１つをカバーするのに十分に狭くなる。例えば、集束は、送信周波数の波長のたった１０分の１になってもよい。したがって、基地局によって形成されるビームによってカバーされる必要がある各アンテナに対して、トレーニングシーケンスを送信する必要があるかもしれず、したがって、ユーザ機器のアンテナ毎に送信機が必要とされる。しかし、２つのアンテナを有する一般的なユーザ機器において、コスト最適化のために１つの送信機しか設けられていない可能性があり、一方、上述したダイバーシティモードを有効にするためには通常２つの受信機が想定される。従って、マッシブＭＩＭＯまたは３Ｄ−ＭＩＭＯシステムにおいて、ユーザ機器の複雑さとコストを増大させることなく、上述したＭＩＭＯ技術に係るユーザ機器と基地局との間でデータの送信を可能にする方法が必要である。
【発明の概要】
【０００８】
本発明によればこの主題は、請求項１に記載の無線ネットワークにおけるユーザ機器と基地局との間でデータを送信するための方法、請求項１１に記載の無線ネットワークの基地局、請求項１３に記載の無線ネットワークのユーザ機器および請求項１６に記載の無線ネットワークにおけるユーザ機器と基地局との間でデータを送信する方法によって達成される。従属請求項は、本発明の好適かつ有利な実施例を規定する。
【０００９】
本発明のある態様によれば、無線ネットワークにおけるユーザ機器と基地局との間でデータを送信するための方法が提供される。ユーザ機器は、ユーザ機器と基地局との間で無線周波数信号を送信するための第１のアンテナと第２のアンテナとを少なくとも備える。ユーザ機器は２つ以上のアンテナを有してもよく、この場合、記載された方法は、２つ以上のアンテナを使用することに応じて適合されてもよい。しかしながら、ユーザ機器が２つ以上のアンテナを有する場合でも、記載された方法はまた２つだけのアンテナを用いて行われてもよい。基地局は、基地局とユーザ機器との間で無線周波数信号を送信するための複数のアンテナを備える。「送信」、「送信する」など本明細書で使用される用語は、基地局からユーザ機器への情報の送信と同様に、ユーザ機器からの情報の基地局における受信に関連してもよい。基地局からユーザ機器に送信されるデータは、ダウンリンク（ＤＬ）データまたはダウンリンク方向に送信されるデータと呼ばれてもよく、ユーザ機器から基地局に送信されるデータはまた、アップリンク（ＵＬ）データまたはアップリンク方向に送信されるデータと呼ばれてもよい。方法によれば、ユーザ機器の第１のアンテナを介して第１のトレーニング信号がユーザ機器から基地局に第１の期間で送信される。基地局の複数のアンテナのサブセットの各アンテナに対して、対応するアンテナで受信された第１のトレーニング信号に基づいて、対応する第１の構成パラメータが決定される。さらに、ユーザ機器の第２のアンテナを介して第２のトレーニング信号がユーザ機器から基地局に第２の期間で送信される。第２の期間は第１の期間とは異なり、例えば、時分割多重送信方式で、第１の期間は第１のタイムスロットを含んでもよく、第２の期間は第２のタイムスロットを含んでもよい。基地局の複数のアンテナのサブセットの各アンテナに対して、対応するアンテナで受信された第２のトレーニング信号に基づいて、対応する第２の構成パラメータが決定される。第１および第２の構成パラメータは、基地局とユーザ機器との間でペイロード情報ブロックを送信するために使用されてもよい。複数のアンテナのサブセットは、ユーザ機器からの第１および第２のトレーニング信号を受信するように構成される複数のアンテナのうちのそれらのアンテナを含んでもよい。例えば、基地局のアンテナが円筒状に配置されている場合、アンテナのサブセットのみが、ユーザ機器から送信されるトレーニング信号を受信してもよく、いくつかの他のアンテナはトレーニング信号を受信しなくてもよい。さらに、非常に大きなアンテナアレイが使用される場合、アンテナアレイの一部またはサブセットのみが特定のユーザ機器に対して使用されてもよい。しかし、サブセットは、基地局によって提供される複数のアンテナの全てのアンテナを含んでもよい。一例として、基地局は、例えば３０から１００個のアンテナアレイを含んでいてもよく、またはそれ以上の例えばマトリクスまたは円筒形に配置されたアンテナを含んでもよい。同様に、ユーザ機器は２つ以上のアンテナを含んでもよく、例えば３つまたは４つのアンテナを含んでもよい。ユーザ機器が２つ以上のアンテナを備える場合、記載された方法は複数のアンテナに応じて適合されてもよい。複数のアンテナのサブセットの各アンテナに対して決定された構成パラメータに起因し、基地局は上述したＭＩＭＯ技術に従ってユーザ機器の各アンテナと通信できる。したがってこの方法によれば、第１のダウンリンクデータは、基地局のアンテナに対して決定された第１の構成パラメータを使用して基地局からユーザ機器に送信され、同時に、第２のダウンリンクデータは、基地局のアンテナに対して決定された第２の構成パラメータを使用して基地局からユーザ機器に送信される。第１および第２のダウンリンクデータは同じ周波数で送信されてもよい。第１のダウンリンクデータを送信するために第１の構成パラメータを使用することにより、および第２のダウンリンクデータを送信するために第２の構成パラメータを使用することによって、第１のダウンリンクデータがユーザ機器の第１のアンテナで高品質で受信することができ、第２のダウンリンクデータがユーザ機器の第２のアンテナで高品質で受信することができるように、空間符号化が提供されてもよいが、第１および第２のダウンリンクデータは同時に送信される。ユーザ機器のアンテナ間の漏れは、ユーザ機器が第１および第２のデータを分離することができるように符号化することによって処理されてもよい。
【００１０】
ダイバーシティモードにおいて、第１のダウンリンクデータは第２のダウンリンクデータと同じデータを含んでもよく、さらにどのダウンリンクデータがより良い受信品質を提供するかによる処理のために、ユーザ機器は第１のダウンリンクデータまたは第２のダウンリンクデータのいずれかを選択してもよい。さらに、または代替として、さらなる処理のためのダウンリンクデータを提供するために、第１および第２のダウンリンクデータの信号は、両方が受信され、そして結合されてもよい。従って、ダイバーシティモードにおいて、例えば、１つまたは両方のユーザ機器のアンテナがカバーされるまたは劣化した受信品質を有している場合、例えばユーザがユーザ機器を把持し、したがってアンテナにおける受信を妨害しても、高い送信品質と信頼性が提供される。ＭＩＭＯモードでは、第１のダウンリンクデータは第２のダウンリンクデータと異なっていてもよく、両方のデータは受信後にユーザ機器で処理されてもよい。したがってＭＩＭＯモードでは、より高いデータレート、例えば、２つのアンテナを介して最大２倍高いデータレートが達成されてもよい。
【００１１】
この方法によれば、ユーザ機器で受信される第１のダウンリンクデータの第１の信号品質パラメータが決定され、ユーザ機器で受信される第２のダウンリンクデータの第２の信号品質パラメータが決定される。決定された第１の品質パラメータおよび第２の品質パラメータに基づいて、ユーザ機器の第１および第２のアンテナのうち１つのアンテナが、ユーザ機器から基地局へのアップリンクデータの送信のために選択される。つまり、上記の方法によれば、ＭＩＭＯモードまたはダイバーシティモードのいずれかをサポートするダウンリンク通信が、ユーザ機器の複数のアンテナに集中するために基地局のアンテナに対して正確に適合された構成パラメータを用いて可能となる。さらにアップリンク方向において、選択ダイバーシティまたは切り替えダイバーシティが実現されてもよい。ユーザ機器のアンテナのいずれか一方からのアップリンク通信が、基地局のアンテナの適切な構成による高い品質で提供される。また、上記方法は、第１のトレーニング信号および第２のトレーニング信号が別個の期間で送信されるので、ユーザ機器において１つの送信機または送信ユニットで実現されてもよい。したがって上記の方法は、本実施形態のユーザ機器の設計において低コストで実現されてもよい。
【００１２】
ある実施形態によれば、アップリンクデータを送信するためにユーザ機器のアンテナを選択するステップは、ユーザ機器によって行われる。基地局は、ユーザ機器の第１のアンテナまたは第２のアンテナから到来するアップリンクデータの両方のチャネル上でリッスンしてもよい。しかし、第１のアンテナまたは第２のアンテナのいずれか一方からのアップリンクデータのみが存在する。したがって基地局は、１つのチャネル上のアップリンクデータのみを受信する。基地局が関与しない、またはアップリンクデータのためのアンテナ選択について通知されないような、このような構成は、オープンループアンテナ選択と呼ばれてもよい。ユーザ機器および基地局を同期させるための付加的なプロトコル要素およびプロトコルオーバーヘッドは必要とされない。
【００１３】
他の実施形態によれば、アップリンクデータの送信のためのユーザ機器の第１および第２のアンテナのアンテナ選択はユーザ機器によって行われ、選択されたアンテナはユーザ機器から基地局に通知される。上述されたように、基地局は選択プロセスに関与せず、したがって本実施形態ではオープンループ処理を表す。しかし、選択結果について基地局に通知することによって、アップリンクデータの受信がより効率的に基地局内で実現されてもよい。
【００１４】
さらなる実施形態によれば、アップリンクデータの送信のためのユーザ機器のアンテナ選択について、決定された第１および第２の信号品質パラメータに基づいて、アップリンクデータの送信のためのユーザ機器の第１および第２のアンテナの好適なアンテナがユーザ機器によって選択されてもよい。好適なアンテナはユーザ機器から基地局に通知されてもよく、基地局は、基地局がユーザ機器の好適なアンテナがユーザ機器から基地局へのアップリンクデータの送信のために選択されたアンテナとして使用されることを期待する応答をユーザ機器に行ってもよい。つまり、ユーザ機器はアップリンクデータの送信に使用されるべきアンテナを選択するための基地局における許可を要求する。基地局からの応答の際、ユーザ機器は選択されたアンテナを使用してもよい。したがってクローズド通信ループが提供され、基地局とユーザ機器の両方が選択プロセスに関与する。
【００１５】
さらに別の実施形態によれば、第１および第２の信号品質パラメータはユーザ機器から基地局に送信される。基地局において、ユーザ機器の第１および第２のアンテナのアンテナは、第１および第２の信号品質パラメータに基づいて選択される。選択されたアンテナは、基地局からユーザ機器に通知される。つまり、基地局は、ユーザ機器のどのアンテナが使用されるかを制御する。これは、基地局が、例えばセル内の他のユーザ機器に対する通信チャネルのような、基地局によって提供されるセル内におけるさらなる他の状況を考慮してアンテナを選択できるようにする。
【００１６】
他の実施形態によれば、ユーザ機器は、送信ユニットと、第１のアンテナまたは第２のアンテナのいずれかを選択的に送信ユニットに接続するように構成されるスイッチと、を含む。この場合、ユーザ機器は２つ以上のアンテナを有し、スイッチは、選択的に２つ以上のアンテナの１つに送信ユニットを接続するように構成されてもよい。また、ユーザ機器は複数の送信ユニットを含んでもよいが、送信ユニットはアンテナよりも少ない。この場合、スイッチは、時間多重方式において各アンテナが送信ユニットに接続されるように、少なくとも１つの送信ユニットにアンテナのそれぞれを選択的に接続するように構成されてもよい。しかし、これは全てのアンテナが対応する送信ユニットに同時に接続することはできないことも意味する。この実施形態によれば、ユーザ機器から基地局に第１のトレーニング信号を送信するために、送信ユニットは第１の期間においてスイッチを介して第１のアンテナに接続される。そして第２の期間において、送信ユニットは、第２のトレーニング信号を送信するためにスイッチを介して第２のアンテナに接続される。時間多重方式で送信ユニットが第１および第２のアンテナに接続されることによって、または時間多重方式で複数の送信ユニットがユーザ機器の複数のアンテナに接続されることによって、アンテナよりも少ない数の送信ユニットが、上述した方法を達成するために必要とされる。特に、１つの送信ユニットが、対応するトレーニング信号を送信するための第１および第２のアンテナ、またさらに多くのアンテナを提供するために必要とされてもよい。
【００１７】
第１および第２の品質パラメータは、例えば対応するダウンリンクデータのビット誤り率、対応するダウンリンクデータの受信信号強度指示、または対応するダウンリンクデータの信号対雑音比のそれぞれを含んでもよい。上述した品質パラメータは、ユーザ機器内で容易に決定でき、ダウンリンクデータの送信品質に関する信頼できる情報を提供する。また、上述した品質パラメータは、基地局内の上述した処理のために、一般的に公知の方法において対応するプロトコルデータユニットで基地局に送信されてもよい。
【００１８】
ある実施形態によれば、基地局の複数のアンテナのサブセットの各アンテナに対して決定された構成パラメータは、例えば、振幅情報、位相情報、振幅情報と関連付けられた位相情報とを含むパラメータのペア、複数のこれらのパラメータ、または対応するトレーニング信号が受信された時に対応するアンテナで受信された信号強度の信号強度情報を含んでもよい。ただし、以上に列挙された構成パラメータは単なる例であり、構成パラメータは、上述したＭＩＭＯ送信方式によるデータ送信を可能にするように基地局のアンテナを構成するための他のまたは追加の情報を含んでもよい。また、位相および振幅情報は、トレーニングシーケンスが同じアップリンク方向に送信されているときに、ユーザ機器からアップリンクデータを受信するための基地局のアンテナの構成パラメータを決定するために直接使用されてもよい。しかし、ユーザ機器にダウンリンクデータを送信するための構成パラメータは、アップリンクデータを受信するための構成パラメータのエルミート転置に基づいて決定されてもよい。例えば、ユーザ機器から２つのアップリンク信号ビームが異なる遅延（位相）で基地局において受信された場合、最初に到来する短い経路を有するビームとしてダウンリンクビームを送信するために位相は反転される必要があり、両方のビームがダウンリンク方向においてユーザ機器で調整される必要がある。
【００１９】
本発明の別の態様によれば、無線ネットワークの基地局が提供される。基地局は、ユーザ機器と基地局との間で無線周波数信号を送信するための第１のアンテナと第２のアンテナとを少なくとも有するユーザ機器と基地局との間で無線周波数信号を送信するための複数のアンテナを有する。さらに基地局は、第１のアンテナを介してユーザ機器から基地局に送信された第１のトレーニング信号を第１の期間に受信するように構成される処理装置を備える。処理装置は、基地局の複数のアンテナのサブセットの各アンテナに対して、対応するアンテナで受信された第１のトレーニング信号に基づいて、対応する第１の構成パラメータを決定するように構成される。また処理装置は、第２のアンテナを介してユーザ機器から基地局に送信された第２のトレーニング信号を第２の期間に受信するように構成される。第１の期間と第２の期間は異なってもよく、例えば、第２の期間は第１の期間の後に発生する。処理装置は、基地局の複数のアンテナのサブセットの各アンテナに対して、対応するアンテナで受信された第２のトレーニング信号に基づいて、対応する第２の構成パラメータを決定する。そして、第１および第２のダウンリンクデータは、基地局からユーザ機器に同時に送信され、すなわち、第１のダウンリンクデータの送信と第２のダウンリンクデータの送信は、少なくともオーバーラップがある。第１のダウンリンクデータは、基地局のアンテナに対して決定された第１の構成パラメータを使用して送信される。第２のダウンリンクデータは、基地局のアンテナに対して決定された第２の構成パラメータを使用して送信される。第１および第２のダウンリンクデータを送信するための第１および第２の構成パラメータの使用によって、第１のダウンリンクデータがユーザ機器の第１のアンテナで高品質で受信され、第２のダウンリンクデータがユーザ機器の第２のアンテナで高品質で受信されるように、第１および第２のダウンリンクデータの空間符号化が提供される。第１および第２の構成データを用いた第１および第２のダウンリンクデータを送信するための信号処理（例えば、ＭＩＭＯ技術による）は、アナログまたはデジタルドメインまたはそれらの組合せで実施されてもよい。したがって、例えば、信号処理または処理装置において、各アンテナの送受信機能の一部はデジタル的に実現されてもよく、アンテナとトランシーバの残りの部分は受動部品であってもよい。ユーザ機器がダイバーシティモードで動作している場合、第１および第２のダウンリンクデータは同じデータを含んでいてもよく、一方ユーザ機器がＭＩＭＯモードで動作している場合、第１および第２のダウンリンクデータは異なるデータを含んでいてもよく、したがってデータレートは例えば最大２倍まで増大される。さらに処理装置は、第１のアンテナまたは第２のアンテナのいずれかを介してユーザ機器から送信されたアップリンクデータを受信するように構成される。第１のアンテナを介して送信されたアップリンクデータを受信するために、処理装置は第１の構成パラメータを使用し、またユーザ機器の第２のアンテナを介して送信されたアップリンクデータを受信するために、処理装置は第２の構成パラメータを使用する。しかし、基地局は、両方の場合、すなわちユーザ機器が第１のアンテナを介してアップリンクデータを送信する場合、またはユーザ機器が第２のアンテナを介してアップリンクデータを送信する場合にアップリンクデータを受信することができるように、第１の構成パラメータ同様、第２の構成パラメータを同時に使用してアップリンクデータをリッスンしてもよい。
【００２０】
ある実施形態によれば、基地局はさらに、上記の方法および実施形態のいずれかを実行するように構成され、したがって上記の利点を含む。
【００２１】
本発明の別の態様によれば、無線ネットワークのユーザ機器が提供される。ユーザ機器は、ユーザ機器と基地局との間で無線周波数信号を送信するための第１のアンテナと第２のアンテナとを少なくとも有する。基地局は、基地局とユーザ機器との間で無線周波数信号を送信するための複数のアンテナを有する。ユーザ機器はさらに、第１のアンテナを介して基地局に第１のトレーニング信号を第１の期間に送信し、第２のアンテナを介して基地局に第２のトレーニング信号を第１の期間とは異なる第２の期間に送信するように構成された処理装置を有する。これを達成するために、ユーザ機器は、１つの送信ユニットを含んでもよく、第１のアンテナまたは第２のアンテナのいずれかに送信ユニットを選択的に接続するスイッチを含んでもよい。処理装置はさらに、第１のアンテナを介して第１のダウンリンクデータを基地局から受信し、同時に、第２のアンテナを介して第２のダウンリンクデータを基地局から受信するように構成される。したがって、ユーザ機器は、各アンテナに対して１つ、つまり２つの受信ユニットを備えてもよい。また、処理装置は、受信された第１のダウンリンクデータの第１の信号品質パラメータを決定し、受信された第２のダウンリンクデータの第２の信号品質パラメータを決定する。そして、決定された第１および第２の信号品質パラメータに基づいて、処理装置は、第１のアンテナまたは第２のアンテナのいずれか一方を介してアップリンクデータを基地局に送信する。アップリンクデータを送信するために、処理装置は、ユーザ機器の１つの送信ユニットが第１のアンテナまたは第２のアンテナのいずれかと接続されるように、上述したスイッチを構成してもよい。
【００２２】
ある実施形態によれば、ユーザ機器は、上述した方法および上述した実施形態の方法を行うように構成され、したがって上述した利点を有する。ユーザ機器は、例えば携帯電話、モバイルコンピュータ、パーソナルデジタルアシスタント、タブレットコンピュータを構成してもよい。
【００２３】
別の実施形態によれば、基地局は、受信された第１および第２のトレーニング信号に基づいて、対応する第１および第２の品質パラメータを決定してもよく、ユーザ機器から基地局へのアップリンクデータの送信するためにユーザ機器の第１および第２のアンテナのうちからアンテナを選択してもよい。したがって、基地局は、受信されたトレーニング信号を比較することによってどのチャネルがより良いかを決定してもよく、そしてユーザ機器が使用するための到来するアップリンクデータに対して対応するアンテナを決定してもよい。
【００２４】
上記の概要および以下の詳細な説明に記載された特定の特徴は、本発明の具体的な実施形態および態様に関連して説明されるが、特に注記がない限り、例示的な実施形態および態様の特徴は、互いに組み合わせることができることが理解される。
【図面の簡単な説明】
【００２５】
本発明は、添付の図面を参照して詳細に説明される。
【図１】図１は、本発明の実施形態による基地局およびユーザ機器の概略を示す。
【図２】図２は、本発明の実施形態によるユーザ機器の概略の詳細を示す。
【図３】図３は、本発明の実施形態による無線ネットワークにおけるユーザ機器と基地局との間でデータを送信するための方法のステップを含むフローチャートを示す。
【図４】図４は、本発明の実施形態によるユーザ機器と基地局との間のデータ送信の概略を示す。
【図５】図５は、本発明の実施形態によるユーザ機器と基地局との間のデータ送信の概略を示す。
【図６】図６は、本発明の実施形態によるユーザ機器と基地局との間のデータ送信の概略を示す。
【図７】図７は、本発明の実施形態によるユーザ機器と基地局との間のデータ送信の概略を示す。
【発明を実施するための形態】
【００２６】
以下では、本発明の例示的な実施形態がより詳細に説明される。特に注記がない限り、本明細書に記載の種々の例示的な実施形態の特徴は、互いに組み合わせることができることが理解される。様々な図面における同じ参照符号は、類似または同一の構成要素を示す。図に示されるコンポーネントまたはデバイス間の任意の結合は、特に断りのない限り、直接または間接的に結合されてもよい。
【００２７】
図１は、基地局１１の環境１０に配置されたユーザ機器１５を示す。基地局１１は、複数のアンテナ１２と、関連付けられたトランシーバ１３を備える。図１において、６つのアンテナ１２と、６つのトランシーバ１３が、明確にするために示されている。しかしながら、これらは単に例示的な数であり、基地局１１は、例えばマトリクスまたは円筒形に配置された、３０から１００またはそれ以上のアンテナアレイおよび関連付けられたトランシーバを含んでいてもよい。ユーザ機器１５は、２つのアンテナ１６、１７を含む。しかし、ユーザ機器１５は、例えば３つまたは４つのように、さらに多くのアンテナを含んでもよい。さらに基地局１１は、トランシーバ１３に接続され、基地局１１とユーザ機器１５との間で無線周波数信号を送信するためのトランシーバ１３を構成するように適合された処理装置（ＰＤ）１４を備える。基地局１１の複数のアンテナ１２とトランシーバ１３は、上述したマルチインプットマルチアウトプット（ＭＩＭＯ）技術が基地局とユーザ機器１５のアンテナ１６、１７のそれぞれの間のデータ送信のために実現されるように、使用され、構成されてもよい。つまり、基地局１１のアンテナ１２とトランシーバ１３は、それらが空間符号化によって分離された基地局１１とユーザ機器１５との間の２つの通信チャネルを提供できるように構成されてもよい。
【００２８】
図２は、より詳細にユーザ機器１５を示す。ユーザ機器１５は、スイッチ１８を介して第１の受信機１９および送信機２１および第２の受信機２２を含むトランシーバ２０に接続された２つのアンテナ１６および１７を備える。また、ユーザ機器１５は、スイッチを制御するスイッチ１８に接続された処理装置（ＰＤ）２３を含む。処理装置２３の制御下でスイッチ１８は、例えば第１のアンテナ１６を第１の受信機１９に接続し、第２のアンテナ１７を第２の受信機２２に接続してもよく、送信機２１を第１のアンテナ１６または第２アンテナ１７のいずれかに選択的に接続してもよい。したがって、２つの受信機１９および２２は連続的にアンテナ１６および１７を介して信号を受信してもよく、アンテナ１６および１７のうちの１つのアンテナが送信機または送信ユニット２１から無線周波数信号を提供されてもよい。
【００２９】
基地局１１とユーザ機器１５との間で上述した２つの通信チャネルを設定するために、トランシーバ１３は、ユーザ機器１５のアンテナ１６と１７の空間情報を考慮して高い送信品質を基地局１１に対して提供するように構成されなければならない。トランシーバ１３に対する構成パラメータのセットを決定するために、無線周波数信号のトレーニング信号またはトレーニングシーケンスが、ユーザ機器１５のアンテナ１６、１７のそれぞれから基地局１１に送信されてもよい。受信されたトレーニング信号に基づいて、トランシーバ１３に対する対応する構成パラメータが、基地局１１で決定されてもよい。しかしながら、ユーザ機器１５が移動している場合、トランシーバ１３の構成は、送信品質の劣化を回避するために新しい位置に対して更新されなければならない。したがって、アンテナ１６、１７からのトレーニング信号は、例えば基地局１１とユーザ機器１５との間で送信される各フレームの先頭のように、定期的な期間で送信されなければならない。
【００３０】
ユーザ機器１５から基地局１１にデータを送信するためのアップリンクパート、および基地局１１からユーザ機器１５にデータを送信するためのダウンリンクパートのような、無線通信ネットワークで使用される典型的な送信フレームはヘッダを含んでもよい。上述したトレーニング信号は、ユーザ機器１５の各アンテナ１６、１７に対して別個のタイムスロットで送信されてもよい。ユーザ機器１５の１つの送信ユニット２１だけでこれを達成するために、図３で示される方法３０が、基地局１１およびユーザ機器１５によって利用されてもよい。
【００３１】
図３は、方法３０のステップ３１から３８を示す。ステップ３１において、ユーザ機器１５の処理装置２３は、第１のアンテナ１６が送信ユニット２１に接続され、第１のトレーニング信号が、例えば送信フレームのヘッダ内で、第１のアンテナ１６を介して基地局１１に第１の期間またはタイムスロットで送信されるように、スイッチ１８を構成する。ステップ３２において、基地局１１は、対応するアンテナ１２で受信された第１のトレーニング信号に基づいて、対応する第１の構成パラメータを基地局１１の各アンテナ１２に対して決定する。次に、処理装置２３は、送信ユニット２１が第２のアンテナ１７に接続されるようにスイッチ１８を構成し、ステップ３３において第２のトレーニング信号が第２アンテナ１７を介して基地局１１に送信される。基地局１１の処理装置１４は、対応するアンテナで受信された第２のトレーニング信号に基づいて、基地局１１の各アンテナ１２に対して対応する第２の構成パラメータを決定する（ステップ３４）。ステップ３５において、基地局は、双方のチャネルを介してダウンリンクデータをユーザ機器１５に送信する。つまり、基地局１１は、アンテナ１２に対して第１の構成パラメータを使用して基地局１１からユーザ機器１５に第１のダウンリンクデータを送信し、同時に、基地局１１は、第２の構成パラメータを使用してユーザ機器１５に第２のダウンリンクデータを送信する。第１の構成パラメータおよび第２の構成パラメータを介する空間符号化によって、第１のダウンリンクデータは第１のアンテナ１６において高品質で受信され、第２のダウンリンクデータは第２のアンテナ１７において高品質で受信される。ステップ３６および３７において基地局は、第１の品質パラメータを介して第１のアンテナでの受信品質を示し、第２の品質パラメータを介して第２のアンテナの受信品質を示す、受信したダウンリンクデータの各々に対して対応する品質パラメータを決定する。決定された第１および第２の信号品質パラメータに基づいて、第１のアンテナ１６または第２のアンテナ１７のいずれかが、ユーザ機器１５から基地局１１へのアップリンクデータの送信のために選択される（ステップ３８）。
【００３２】
本発明の背景に関連するセクションで説明されたように、ユーザ機器１５は、ランク１モードと呼ばれるダイバーシティモード、またはランク２モードと呼ばれるＭＩＭＯモードのいずれかで動作してもよい。ダイバーシティモードにおいて、基地局は、第１のダウンリンクデータおよび第２のダウンリンクデータとで同じデータを送信する。つまり、同じデータが、基地局１１からユーザ機器１５に２つのチャネルを介して送信され、ユーザ機器１５で第１のアンテナ１６および第２のアンテナ１７を介して２回受信される。例えばユーザがユーザの手でアンテナ１６、１７の１つを覆うことにより、チャネルの１つが乱れた場合、ダウンリンクデータは依然としてユーザ機器１５で受信される。ＭＩＭＯモードでは、基地局１１は異なるダウンリンクデータを送信し、したがって送信データの量が倍増される。
【００３３】
上述したユーザ機器１５と基地局１１との間のデータ送信が、以下に図４−７と関連付けられる例示的な実施形態においてより詳細に説明される。特に、アップリンクデータの送信のためにアンテナを選択する上述したステップ３８が、様々な例示的な実施形態でより詳細に説明される。
【００３４】
図４において、アップリンクデータ送信のために使用されるアンテナの選択がユーザ機器１５において実行され、基地局１１は選択について通知される第１の実施形態が示される。図４において、各チャネルに対する２つの送信フレーム４０および４１が示される。各チャネルは、基地局１１と、ユーザ機器１５のアンテナ１６、１７のそれぞれとの間の空間符号化された通信に関する。第１のチャネルでのデータ送信はポストフィックス「１」で識別され、第２のチャネルを介するデータ通信はポストフィックス「２」で識別される。空間符号化によって、第１のチャネルのフレームは、第２のチャネルのフレームと同時に送信されてもよい。したがって、図４の横方向は時間を示し、ボックスの最初のラインは第１のチャネルに関連し、ボックスの２つ目のラインは第２のチャネルに関連する。
【００３５】
送信は、第１のチャネルのヘッダ情報５０および第２のチャネルのヘッダ情報７０の送信で始まる。ヘッダ内のタイムスロットが、各ユーザ機器およびユーザ機器の各アンテナに別個に使用されてもよいように、各チャネルのヘッドは同期される。したがって、第１のアンテナ１６からの第１のトレーニング信号の送信のためにヘッダ５０内に専用のタイムスロットがあり、第２のアンテナ１７から第２のトレーニング信号を送信するために専用のタイムスロットがある。上述したように、処理装置２３は、送信ユニット２１が第１のアンテナ１６と接続され、図４に示されるように第１のトレーニング信号がヘッダ５０で送信されるようにスイッチ１８を構成する。そして、処理装置２３は、送信ユニット２１が第２のアンテナ１７に接続され、図４に示されるように第２のトレーニングシーケンスがヘッダ７０で送信されるようにスイッチ１８を構成する。次に、処理装置２３は、送信ユニット２１と第１のアンテナ１６とを接続するようにスイッチ１８を構成し、第１のアップリンクデータ（ＵＬ１）５１はユーザ機器１５から基地局１１に送信される。第１のアップリンクデータ５１は、どのアンテナが次のフレーム４１に使用されるかを基地局に通知する情報を含む。この場合、例えば、ユーザ機器１５は、アップリンクデータの次の送信のための第２のアンテナ１７を選択することを、以前に受信された（図示せず）ダウンリンクデータの品質に基づいて決定してもよい。次に基地局１１は、空間符号化された方法で、両方のチャネルを介して第１および第２のダウンリンクデータ（ＤＬ１、ＤＬ２）５２、７２をユーザ機器１５に送信する。第１および第２のダウンリンクデータは、ダイバーシティモードまたはＭＩＭＯモードのような使用される送信モードに応じて同じデータまたは異なるデータを含んでもよい。次のフレーム４１は、アンテナ１２に対する第１および第２の構成パラメータを更新する第１および第２のトレーニング信号を含む各チャネルのヘッダ５３および７３で再び始まる。そして、以前に通知されたように、ユーザ機器１５は送信ユニット２１を第２のアンテナ１７に接続し、第２のチャネルを介してアップリンクデータ（ＵＬ２）７４を基地局に送信する。ここでも、アップリンクデータ（ＵＬ２）７４は、どのチャネルが次のフレーム（図示されない）でユーザ機器１５によって使用されるかの、基地局に対する情報を含んでもよい。アップリンクデータに対して使用されるチャネルまたはアンテナは、受信された第１および第２のダウンリンクデータに対して決定された品質パラメータに基づいて選択されてもよい。例えば、第１のダウンリンクデータ５２の第１の信号品質パラメータが決定されてもよく、第２のダウンリンクデータ７２の第２の信号品質パラメータが決定されてもよい。第１および第２の信号品質パラメータは比較されてもよく、より良い品質を有するチャネルが次のアップリンクデータを送信するために選択されてもよい。アップリンクデータ７４で選択されたチャネルが搬送された後、そのチャネルはさらなるタイムフレーム（図示されない）で使用されてもよい。そして基地局１１は、上述されたように同時に第１および第２のダウンリンクデータ（ＤＬ１、ＤＬ２）５５、７５を送信し、ユーザ機器１５は、将来のアンテナ再選択のために対応する信号品質パラメータを決定してもよい。
【００３６】
図５は、図３に関連して説明された方法のさらなる実施形態を示す。図５に示される実施形態では、ユーザ機器１５が、アンテナ１６または１７のうちの１つをアップリンクデータ送信のために提案し、基地局１１は、アンテナ選択のためのクローズド通信ループが提供されるように要求を確認してもよい。図４に関連して説明されたように、第１のフレーム４０のヘッダ５０および７０で第１および第２のトレーニング信号が送信される。前のフレーム（図示されない）で受信されたダウンリンクデータに対して決定された品質パラメータに基づいて、ユーザ機器１５は、将来のアップリンク通信に使用するアンテナ１６および１７の１つを提案してもよく、例えば、ユーザ機器１５は、将来的には第２のアンテナ１７を使用することを提案してもよい。この提案は、アップリンクデータ（ＵＬ１）５１を介して基地局１１に送信される。次に、基地局１１は、将来のアンテナ選択を決定するために使用されてもよいダウンリンクデータ（ＤＬ１、ＤＬ２）５２および７２を両方のチャネルでユーザ機器１５に送信する。次のフレーム４１において、送信アンテナを変更するための応答が基地局１１から受信されない限り、ユーザ機器は依然として第１のアンテナ１６を介してアップリンクデータ（ＵＬ１）５４を送信する。フレーム４１のダウンリンクデータ（ＤＬ１、ＤＬ２）５５、７５において、基地局１１は、送信アンテナとして提案された第２のアンテナ１７の選択を認めてもよい。したがって、ユーザ機器１５は、次のフレーム４２におけるヘッダ５６および７６の後に送信されるアップリンクデータ（ＵＬ２）７７を第２のアンテナ１７を介して基地局１１に送信する。
【００３７】
図６は、ユーザ機器１５が基地局にアップリンクデータを送信するためのアンテナを基地局１１に通知することなく再選択してもよい、アンテナ選択のためのさらなる実施形態を示す。したがって図６に示された通信は、主に図４に示された通信に対応する。唯一の違いは、ユーザ機器１５がアップリンクデータ（ＵＬ１またはＵＬ２）５１または７４において次のアップリンクデータのために使用される次のチャンネルを通知しないことである。したがって基地局１１は、常に両方のチャネルをリッスンし、アップリンクデータが提供されるチャネルからアップリンクデータを取得しなければならない。チャンネルの１つにのみデータがあることに留意されたい。
【００３８】
図７は、基地局１１がアンテナ選択を実行し、それに応じてユーザ機器１５に通知する、アンテナ選択のためのさらなる実施形態を示す。上述したように、フレーム４０において第１および第２のトレーニング信号は、ヘッダ５０、７０内でユーザ機器１５から基地局１１に送信される。次に、アップリンクデータ（ＵＬ１）５１は、第１のチャネルを介してユーザ機器１５から基地局に送信される。そして基地局は、両方のチャネルでダウンリンクデータ（ＤＬ１、ＤＬ２）５２、７２をユーザ機器１５に送信する。ユーザ機器１５は、第１のダウンリンクデータ（ＤＬ１）５２の第１の信号品質パラメータおよび第２のダウンリンクデータ（ＤＬ２）の第２の信号品質パラメータ７２を決定する。次のフレーム４１において、ヘッダ５３および７３で第１および第２のトレーニング信号が送信された後に、ユーザ機器１５は、アップリンクデータ（ＵＬ１）５４内で決定された第１および第２の信号品質パラメータを第１のアンテナ１６を介して第１のチャネルで基地局１１に送信する。基地局１１は、さらに信号品質パラメータを決定するためにユーザ機器１５によって使用されてもよいダウンリンクデータ（ＤＬ１、ＤＬ２）５５および７５をユーザ機器１５に送信する。次のフレーム４２において、ここでもトレーニング信号はヘッダ５６および７６で送信されてもよく、アップリンクデータ（ＵＬ１）５７は第１のアンテナ１６を介して基地局１１に送信されてもよい。フレーム４１で受信された第１および第２の品質パラメータに基づいて、基地局１１は、どの通信チャネルがより良いパフォーマンスを提供するかをそのうちに決定し、したがって、将来的にアップリンクデータを送信するために第２のアンテナ１７を使用するためにユーザ機器１５に指示してもよい。この情報は、フレーム４２のダウンリンクデータ（ＤＬ１、ＤＬ２）５８、７８でユーザ機器１５に送信されてもよい。したがって次のフレーム４３で、第１および第２のトレーニング信号がヘッダ５９、７９で送信された後、ユーザ機器１５は、送信ユニット２１を第２のアンテナ１７に接続するようにスイッチ１８を構成し、アップリンクデータ（ＵＬ２）８０を第２のアンテナ１７を介して基地局１１に送信する。最後に基地局１１は、同時に２つのチャネルを介してダウンリンクデータ（ＤＬ１、ＤＬ２）６１、８１をユーザ機器１５に送信してもよい。
【図１】
0006296165.tif 000002
【図２】
0006296165.tif 000003
【図３】
0006296165.tif 000004
【図４】
0006296165.tif 000005
【図５】
0006296165.tif 000006
【図６】
0006296165.tif 000007
【図７】
0006296165.tif 000008